【事件の表示】
　特願２０１２−５０５６２３「光学式エンコーダ」拒絶査定不服審判事件〔平成２３年　９月２２日国際公開、ＷＯ２０１１／１１４９３８〕について、次のとおり審決する。
【結　論】
　本件審判の請求は、成り立たない。
【理　由】
第１　手続の経緯  
　本願は、平成２３年３月８日（優先権主張　平成２２年３月１５日）に出願したものであって、平成２６年１２月８日付けの拒絶理由通知に対して平成２７年１月３０日付けで手続補正がなされたが、平成２７年５月２１日付けで拒絶査定がなされ、これに対し、平成２７年８月１９日付けで拒絶査定不服審判が請求されるとともに手続補正がなされたものである。
　
第２　平成２７年８月１９日付けの手続補正についての補正却下の決定  
　  
［補正却下の決定の結論］  
　平成２７年８月１９日付けの手続補正（以下「本件補正」という。）を却下する。
　
［理由］  
　
１　本件補正  
　
　本件補正は、特許請求の範囲の請求項１について、本件補正前に、  
「【請求項１】
　投光部と、受光部と、上記投光部と受光部との間に配置されるスケールと、を有する光学式エンコーダにおいて、
　上記スケール（１２）は、光透過可能な導光部（２４）を有し、
　上記導光部は、上記投光部（１０）が投光した光の少なくとも一部を、上記スケールの厚み方向に対向するように上記導光部内に配置された反射部（３４）による多重反射を介して、上記スケールの厚み方向に垂直な方向に向けて導光する導光機能を有し、
　上記受光部（１４；７４，７６）は、上記スケールにより導光した光を受光し、上記スケールに対して相対的に移動する、
　ことを特徴とする光学式エンコーダ。」  
とあったところを、  
　
「【請求項１】
　投光部と、受光部と、上記投光部と受光部との間に配置されるスケールと、を有する光学式エンコーダにおいて、
　上記スケール（１２）は、光透過可能な導光部（２４）を有し、
　上記導光部は、上記投光部（１０）が投光した光の少なくとも一部を、上記スケールの厚み方向に対向するように上記導光部内に配置された反射部（３４）による
光路が特定されない
　上記受光部（１４；７４，７６）は、上記スケールにより導光した光を受光し、上記スケールに対して相対的に移動する、
　ことを特徴とする光学式エンコーダ。」  
とすることを含むものである（下線は、補正箇所を示す。）。  
　
　本件補正について検討する。  
　
　本件補正は、本件補正前の請求項１の発明特定事項である「多重反射」について、「光路が特定されない多重反射」と限定するものである。
　
　よって、本件補正は、本件補正前の請求項１に記載された発明を特定するために必要な事項を限定するものであるから、特許法第１７条の２第５項第２号に掲げる特許請求の範囲の減縮を目的とするものに該当する。
　
　そこで、本件補正後における特許請求の範囲に記載されている事項により特定される請求項１に係る発明（以下「本願補正発明」という。）が特許出願の際独立して特許を受けることができるものであるか（特許法第１７条の２第６項において準用する同法第１２６条第７項に規定する要件を満たすか）について以下に検討する。
　
　
２　引用例及びその記載事項  
　  
（１）原査定の拒絶の理由に引用され、本願の優先権主張の基礎となる出願の出願前に頒布された刊行物である特開２００８−２５６６４１号公報（平成２０年１０月２３日公開、以下「引用例１」という。）には、図面とともに以下の事項が記載されている（なお、下線は当審で付した。）。
　
ａ「【００１４】
  
図２において、光学式エンコーダ１０は、フォトセンサ１１とプリズム１２と固定スリット板１３と回転スリット板１４と面導光円板１５で構成される。回転スリット板１４と面導光円板１５はこの順番でスプロケット１に取り付けられ、中心軸ａ周りの回転するスプロケット１と同期して回転するように構成される。
スプロケット１の表面１ａは
より反射率の高い素材で形成した反射シートを反射面として設けてもよい。
【００１５】
  
フォトセンサ１１は、発光部である１つの発光素子１１ａに対し受光部であるアレイ状の６つの受光素子１１ｂを備えた反射型フォトセンサであり、発光素子１１ａから発せられた光の反射光を受光素子１１ｂで受けて検知する。
プリズム１２は、発光素子１１ａから発せられた光の進行方向を中心軸ａと同方向になるように９０度変更させて面導光円板１５に入射させる１つの発光プリズム１２ａと、
面導光円板１５により反射された光の進行方向を９０度変更させて各受光素子１１ｂにそれぞれ受光させる６つの受光プリズム１２ｂで構成される。
【００１６】
　
回転スリット板１４は、
複数のスリット群１４ａなどのスリットにより面導光円板１５により反射された光の一部を通過させ、それ以外を遮光する遮光円板である。各スリット群１４ａには透光部と遮光部が径方向に並設されており、
各受光素子１１ｂにおける受光状態を把握することで回転スリット板１４の回転角、すなわちスプロケット１の回転角を検出することができる。
【００１７】
　回転スリット板１４の外縁部には各スリット群１４ａに対応する入射スリット１４ｃが形成されており、発光素子１１ａから発光プリズム１２ａを経た光を回転スリット板１４の回転角に関係なく面導光円板１５に入射させるための透光部となっている。
【００１８】
　固定スリット板１３は、発光プリズム１２ａおよび受光プリズム１２ｂと回転スリット板１４の間に配置され、光を面導光円板１５に入射させるための入射スリット１３ａと、面導光円板１５からの反射光を通過させるための反射スリット群１３ｂが形成されている。反射スリット群１３ｂは受光素子１１ｂの数に対応する６箇所に形成されたスリットで構成されている。入射スリット１３ａは、発光プリズム１２ａを経た光を回転スリット板１４の入射スリット１４ｂに確実に入射させ、隣接するスリット群１４ａへの入射を阻止する役割を有し、反射スリット群１３ｂは、スリット群１４ａを通過した反射光を対応する受光プリズム１２ｂに確実に入射させ、対応しない受光プリズム１２ｂへの入射を阻止する役割を果たす。
【００１９】
　
面導光円板１５は、発光プリズム１２ａを経て入射された光を受光プリズム１２ｂに向けて反射するプリズム体であり、
光透過率の高い樹脂を素材として回転スリット板１４と略同径の円板状に形成されている。
【００２０】
　図３において、面導光円板１５は、平行をなす第１面２０と第２面２１を有し、それぞれの外周が第２面２１から第１面２０に向けて拡径するテーパ面２２で連続されている。なお、第１面２０が回転スリット板１４に取り付けられる側であり、第２面２１がスプロケット１に取り付けられる側である（図１参照）。第２面２１には、中心軸ａを中心とした同心円上に第２面２１から第１面２０に向けて縮径するように複数のテーパ面２３が略同間隔で形成されている。」
ｂ　図３には、面導光円板１５の径方向の断面図が示され（【図面の簡単な説明】）、面導光円板１５の第１面２０の外径部に入射された入射光が、テーパー面２２において複数方向に反射され、さらに、面導光円板１５の第１面２０（以下「表面」という。）と第２面２１（以下「裏面」という。）とにおいて反射されて、内径方向に導光され、「表面」側に反射光として出射されることが示されている。
ア　上記ａの「【００１４】‥‥‥光学式エンコーダ１０は、フォトセンサ１１とプリズム１２と固定スリット板１３と回転スリット板１４と面導光円板１５で構成される。」との記載から、引用例１には、「フォトセンサ１１とプリズム１２と固定スリット板１３と回転スリット板１４と面導光円板１５で構成される光学式エンコーダ１０」が記載されているということができる。
イ　上記ａの「【００１４】‥‥‥回転スリット板１４と面導光円板１５はこの順番でスプロケット１に取り付けられ、中心軸ａ周りの回転するスプロケット１と同期して回転するように構成される。‥‥‥スプロケット１は‥‥‥より反射率の高い素材で形成した反射シートを反射面として設けてもよい。」との記載から、引用例１には、「回転スリット板１４と面導光円板１５はこの順番でスプロケット１に取り付けられ、中心軸ａ周りの回転するスプロケット１と同期して回転するように構成され、スプロケット１に反射率の高い素材で形成した反射シートを反射面として設ける」ことが記載されているということができる。
ウ　上記ａの段落【００１５】の記載から、「フォトセンサ１１は、発光部である１つの発光素子１１ａに対し受光部であるアレイ状の６つの受光素子１１ｂを備えた反射型フォトセンサであり、発光素子１１ａから発せられた光の反射光を受光素子１１ｂで受けて検知する」ことが記載されているということができる。
エ　上記ａの「【００１５】‥‥‥プリズム１２は、発光素子１１ａから発せられた光の進行方向を中心軸ａと同方向になるように９０度変更させて面導光円板１５に入射させる１つの発光プリズム１２ａと、面導光円板１５により反射された光の進行方向を９０度変更させて各受光素子１１ｂにそれぞれ受光させる６つの受光プリズム１２ｂで構成される。」との記載において、面導光円板１５に着目すると、引用例１には、「面導光円板１５には、発光プリズム１２ａを介して発光素子１１ａから発せられた光が入射され、面導光円板１５より反射され、反射された光は、受光プリズム１２ｂを介して受光素子１１ｂで受光される」ことが記載されているということができる。
オ　上記ａの段落【００１６】の記載から、「回転スリット板１４は、複数のスリット群１４ａなどのスリットにより面導光円板１５により反射された光の一部を通過させ、それ以外を遮光する遮光円板であって、各スリット群１４ａには透光部と遮光部が径方向に並設され、各受光素子１１ｂにおける受光状態を把握することで回転スリット板１４の回転角、すなわちスプロケット１の回転角を検出する」ことが記載されているということができる。
カ　上記ａの段落【００１９】の記載から、「面導光円板１５は、発光プリズム１２ａを経て入射された光を受光プリズム１２ｂに向けて反射するプリズム体であり、光透過率の高い樹脂を素材として回転スリット板１４と略同径の円板状に形成される」ことが記載されているということができる。
キ　上記ｂの図３の記載から、「面導光円板１５の第１面２０の外径部に入射された入射光が、テーパー面２２において複数方向に反射され、さらに、面導光円板１５の第１面２０（以下「表面」という。）と第２面２１（以下「裏面」という。）とにおいて反射されて、内径方向に導光され、表面側に反射光として出射される」ことが示されている。
　上記アないし上記キから、引用例１には、次の事項が記載されているということができる。
「フォトセンサ１１とプリズム１２と固定スリット板１３と回転スリット板１４と面導光円板１５で構成される光学式エンコーダ１０であって、
　回転スリット板１４と面導光円板１５はこの順番でスプロケット１に取り付けられ、中心軸ａ周りの回転するスプロケット１と同期して回転するように構成され、スプロケット１に反射率の高い素材で形成した反射シートを反射面として設け、
　フォトセンサ１１は、発光部である１つの発光素子１１ａに対し受光部であるアレイ状の６つの受光素子１１ｂを備えた反射型フォトセンサであり、発光素子１１ａから発せられた光の反射光を受光素子１１ｂで受けて検知し、　
　面導光円板１５には、発光プリズム１２ａを介して発光素子１１ａから発せられた光が入射され、面導光円板１５より反射され、反射された光は、受光プリズム１２ｂを介して受光素子１１ｂで受光され、
　回転スリット板１４は、複数のスリット群１４ａなどのスリットにより面導光円板１５により反射された光の一部を通過させ、それ以外を遮光する遮光円板であって、各スリット群１４ａには透光部と遮光部が径方向に並設され、各受光素子１１ｂにおける受光状態を把握することで回転スリット板１４の回転角、すなわちスプロケット１の回転角を検出し、
　面導光円板１５は、発光プリズム１２ａを経て入射された光を受光プリズム１２ｂに向けて反射するプリズム体であり、光透過率の高い樹脂を素材として回転スリット板１４と略同径の円板状に形成され、
　面導光円板１５の第１面２０の外径部に入射された入射光が、テーパー面２２において複数方向に反射され、さらに、面導光円板１５の第１面２０（以下「表面」という。）と第２面２１（以下「裏面」という。）とにおいて反射されて、内径方向に導光され、表面側に反射光として出射される、
　光学式エンコーダ１０。」
（２）原査定の拒絶の理由に引用され、本願の優先権主張の基礎となる出願の出願前に頒布された刊行物である特開２００６−８４４４８号公報（平成１８年３月３０日公開、以下「引用例２」という。）には、図面とともに以下の事項が記載されている（なお、下線は当審で付した。）。
「【要約】
【解決手段】
  相対変位する図示しない一方の部材に固定される、
表面に主格子１２が形成され裏面に反射手段１８形成された透明材料からなるメインスケール１１
「【技術分野】
【０００１】
  
本発明は、
光学式エンコーダに関する。
「【００１０】
  図１は、本発明の光学式エンコーダの側面図である。
  図１において、１１はガラス製メインスケールであり、相対変位する一方の部材（図示せず）に固定されている。
１２はメインスケール１１の上面に形成された主格子であり、ピッチＰ１の反射パターンが形成されている。
１３は光源であり、照明光を照射する発光ダイオード（ＬＥＤ）またはランプ等からなる。
光源１３からの照明光を主格子１２に照射する
  １５は受光格子であり、スリットパターンが形成されている。１６はガラス製インデックススケールであり、開口穴２０と受光格子１５が形成されている。また、１７は受光素子であり、主格子１２と受光格子１５によって制限された光を検出する。」
「【００１８】
  図６は第３実施例を示すメインスケールの側面図である。
  図６において１２ｃは高反射材料で構成した主格子の非透過部である。
  本発明が実施例１と異なる部分は、
主格子１２の非透過部１２ｃを高反射材料で構成した点である。
【００１９】
  次に動作について説明する。
  メインスケール１１を照明した照明光の内、
主格子１２の透過部１２ｂを通過した光は、非透過部１２ａと反射手段１８の間で反射を繰り返し、再び主格子１２の透過部１２ｂを通過して、インデックススケール１６（図示せず）に到達する。
　上記記載から引用例２には、次の事項が記載されているということができる（なお、上記段落【００１８】の「非透過部１２ｃ」は、「非透過部１２ａ」の誤記と認められる。）。
「光学式エンコーダにおいて（【０００１】）、
　表面に主格子１２が形成され裏面に反射手段１８形成された透明材料からなるメインスケール１１を有し（【要約】）、
　主格子１２の非透過部１２ａは高反射材料で構成され（【００１８】）、
　発光ダイオード（ＬＥＤ）またはランプ等からなる光源１３からの照明光を主格子１２に照射し（【００１０】）、
　主格子１２の透過部１２ｂを通過した光は、非透過部１２ａと反射手段１８の間で反射を繰り返し、再び主格子１２の透過部１２ｂを通過して、インデックススケール１６（図示せず）に到達する（【００１９】）、
　光学式エンコーダ。」
３　対比  
　  
　本願補正発明と引用発明とを対比する。  
　  
（１）引用発明の「光学式エンコーダ１０」は、本願補正発明の「光学式エンコーダ」に相当する。
（２）引用発明の「発光部である１つの発光素子１１ａ」、「受光部であるアレイ状の６つの受光素子１１ｂを備えた反射型フォトセンサ」は、それぞれ、本願補正発明の「投光部」、「受光部」に相当する。
（３）引用発明において、「回転スリット板１４は、複数のスリット群１４ａなどのスリットにより面導光円板１５により反射された光の一部を通過させ、それ以外を遮光する遮光円板であって、各スリット群１４ａには透光部と遮光部が径方向に並設され、各受光素子１１ｂにおける受光状態を把握することで回転スリット板１４の回転角、すなわちスプロケット１の回転角を検出」するものであって、ここで、「回転スリット板１４」は、回転量を測定するスケールを有するものであるから、本願補正発明の「スケール」に相当する。
　また、「面導光円板１５には、発光プリズム１２ａを介して発光素子１１ａから発せられた光が入射され、面導光円板１５より反射され、反射された光は、受光プリズム１２ｂを介して受光素子１１ｂで受光される」ものであり、面導光円板１５は、光の光路から見て発光素子１１ａと、受光素子１１ｂの間に配置されているということができる。
　ここで、「回転スリット板１４は、複数のスリット群１４ａなどのスリットにより面導光円板１５により反射された光の一部を通過させ、それ以外を遮光する遮光円板であって、各スリット群１４ａには透光部と遮光部が径方向に並設され、各受光素子１１ｂにおける受光状態を把握することで回転スリット板１４の回転角、すなわちスプロケット１の回転角を検出」するから、回転スリット板１４は、面導光円板１５により反射された光の一部を通過させ、各受光素子１１ｂに受光されるということができ、回転スリット板１４は、光路から見て、面導光円板１５を介して発光素子１１ａと、受光素子１１ｂの間に配置されているということができる。
　したがって、引用発明の「回転スリット板１４」は、本願補正発明の「上記投光部と受光部との間に配置されるスケール」に相当する。
（４）引用発明は、「回転スリット板１４と面導光円板１５はこの順番でスプロケット１に取り付けられ、中心軸ａ周りの回転するスプロケット１と同期して回転するように構成され」るものであるから、回転スリット板１４と面導光円板１５を一体と捉えて面導光円板を備える回転スリット板をみることができる。
　ここで、引用発明の「面導光円板１５」は、「発光プリズム１２ａを経て入射された光を受光プリズム１２ｂに向けて反射するプリズム体であり、光透過率の高い樹脂を素材として回転スリット板１４と略同径の円板状に形成される」ものであって、光透過可能なものであるということができるから、上記面導光円板付き回転スリット板は光透過可能な導光部を有するといえ、本願補正発明の「上記スケール（１２）は、光透過可能な導光部（２４）を有」することに相当する。
（５）引用発明の「面導光円板１５の第１面２０の外径部に入射された入射光が、面導光円板１５の第１面２０（以下「表面」という。）と第２面２１（以下「裏面」という。）とにおいて反射されて、内径方向に導光され、表面側に反射光として出射される」ことにおいて、入射光は、「発光素子１１ａから発せられた光」であり、また、入射光は、面導光円板１５の内径方向に導光されるものということができるから、面導光円板１５の厚み方向に垂直な方向に向けて導光するものであるということができる。
　また、「面導光円板１５の」「表面側に反射光として出射される」光は、面導光円板を備える回転スリット板（上記（４））において、その裏面側において、反射されるものと捉えることができ、一方、「回転スリット板１４と面導光円板１５はこの順番でスプロケット１に取り付けられ、中心軸ａ周りの回転するスプロケット１と同期して回転するように構成され、スプロケット１に反射率の高い素材で形成した反射シートを反射面として設け」るものであるから、面導光円板を備える回転スリット板（上記（４））は、その裏面側において、反射されるか、または、反射率の高い反射シートにより反射がなされて、発光素子１１ａから発せられた光が、面導光円板１５の厚み方向に垂直な方向に向けて導光するものであるといえる。
　よって、面導光円板を備える回転スリット板（上記（４））と、本願補正発明の「上記導光部は、上記投光部（１０）が投光した光の少なくとも一部を、上記スケールの厚み方向に対向するように上記導光部内に配置された反射部（３４）による光路が特定されない多重反射を介して、上記スケールの厚み方向に垂直な方向に向けて導光する導光機能を有」することとは、「上記導光部は、上記投光部（１０）が投光した光の少なくとも一部を、反射部による反射を介して、上記スケールの厚み方向に垂直な方向に向けて導光する導光機能を有」する点で共通する。
（６）引用発明は、「回転スリット板１４は、複数のスリット群１４ａなどのスリットにより面導光円板１５により反射された光の一部を通過させ、それ以外を遮光する遮光円板であって、各スリット群１４ａには透光部と遮光部が径方向に並設され、各受光素子１１ｂにおける受光状態を把握することで回転スリット板１４の回転角、すなわちスプロケット１の回転角を検出」するものであって、各受光素子１１ｂからみて、回転スリット板１４のスリットにより面導光円板１５により反射された光の一部を通過した光を各受光素子１１ｂが受光し、これにより、回転スリット板１４の回転角を検出するものであるから、回転スリット板１４に対して相対的に移動するものと捉えることができる。
　したがって、引用発明の「各受光素子１１ｂ」は、本願補正発明の「上記スケールにより導光した光を受光し、上記スケールに対して相対的に移動する」「上記受光部（１４；７４，７６）」に相当する。
　すると、本願補正発明と引用発明とは、次の＜一致点＞及び＜相違点＞を有する。  
　 
＜一致点＞  
「投光部と、受光部と、上記投光部と受光部との間に配置されるスケールと、を有する光学式エンコーダにおいて、
　上記スケール（１２）は、光透過可能な導光部（２４）を有し、
　上記導光部は、上記投光部（１０）が投光した光の少なくとも一部を、反射部による反射を介して、上記スケールの厚み方向に垂直な方向に向けて導光する導光機能を有し、
　上記受光部（１４；７４，７６）は、上記スケールにより導光した光を受光し、上記スケールに対して相対的に移動する、
　ことを特徴とする光学式エンコーダ。」
　
＜相違点＞ア
　本願補正発明は、「上記スケールの厚み方向に対向するように上記導光部内に配置された反射部（３４）」を有するのに対し、引用発明は、このような特定がない点。
＜相違点＞イ
　本願補正発明が、「光路が特定されない多重」反射を介して、上記スケールの厚み方向に垂直な方向に向けて導光するのに対し、引用発明は、このような特定がない点。
４　判断  
　  
＜相違点＞アについて  
　引用発明は、「回転スリット板１４と面導光円板１５」が一体的に取り付けされた「面導光円板１５」において（上記３（４））、「面導光円板１５の第１面２０（以下「表面」という。）と第２面２１（以下「裏面」という。）とにおいて反射され」るものであって、反射される面である、導光円板１５の表面と裏面は、引用発明における面導光円板を備える回転スリット板（上記３（４））の厚み方向に対応するように導光部内に配置された反射部ということができ、この点に格別な相違を有さない。
　また、引用発明は、面導光円板を備える回転スリット板（上記３（４））とスプロケット１との間に、反射率の高い素材で形成した反射シートを設けたものと捉えることができ、一方、一般に反射する部分に、反射部材を設けることも普通になし得ることであるから、導光円板１５の表面における反射部において反射シートを設けることは、当業者が適宜なし得る事項である。
　したがって、この点からも、面導光円板を備える回転スリット板（上記３（４））の厚み方向に対向するように面導光円板１５に反射部を配置することに格別の困難性を有しない。
　さらに、引用例２には、「表面に主格子１２が形成され裏面に反射手段１８形成された透明材料からなるメインスケール１１」について、「主格子１２の非透過部１２ａは高反射材料で構成され、発光ダイオード（ＬＥＤ）またはランプ等からなる光源１３からの照明光を主格子１２に照射し、主格子１２の透過部１２ｂを通過した光は、非透過部１２ａと反射手段１８の間で反射を繰り返し、再び主格子１２の透過部１２ｂを通過」することが記載されており（上記２（２））、メインスケール１１は、反射が繰り返される導光部材ということができ、また、表面に形成された、高反射材料で構成され主格子１２及び裏面に形成された反射手段１８は、メインスケール１１の厚み方向に対応するように導光部内に配置された反射部ということができるから、この点からも、スケールの厚み方向に対向するように上記導光部内に配置された反射部を設けることに格別の困難性を有しない。
　よって、本願補正発明の＜相違点＞アに係る構成のようにすることは格別なことではない。
＜相違点＞イについて  
　引用発明において「面導光円板１５の第１面２０の外径部に入射された入射光が、テーパー面２２において複数方向に反射され、さらに、面導光円板１５の第１面２０（以下「表面」という。）と第２面２１（以下「裏面」という。）とにおいて反射されて、内径方向に導光され」ることから、面導光円板１５の内部において、テーパー面２２において反射されることにより、導光部内においては、種々の方向に発散しながら進むものであるから、「光路が特定されない」多重反射により、内径方向に導光されているということができ、この点に格別の相違を有しない。
　また、相違があるとしても、引用例２に記載のメインスケール１１は反射が繰り返される導光部材ということができ（上記＜相違点＞アについて　第３段落）、ここで、引用例２の「光源１３」は「発光ダイオード（ＬＥＤ）またはランプ等からなる光源１３」であるから、反射が繰り返される導光部材において、光路が特定されない多重反射を繰り返しているということができるから、引用発明の「発光部である１つの発光素子１１ａ」として、発光ダイオード（ＬＥＤ）またはランプ等を用いて、「光路が特定されない」多重反射とすることに格別の困難性を有しない。
　よって、本願補正発明の＜相違点＞イに係る構成のようにすることは格別なことではない。
　
　そして、上記相違点を総合的に判断しても、本願補正発明が奏する効果は、引用発明、引用例２に記載の発明、及び周知技術から当業者が十分に予測できたものであって格別なものとはいえない。  
　  
　したがって、本願補正発明は、引用発明、引用例２に記載の発明、及び周知技術に基づいて当業者が容易に発明をすることができたものであるから、特許法第２９条第２項の規定により特許出願の際独立して特許を受けることができない。
　  
５　本件補正についてのむすび
　以上のとおり、本件補正は、特許法第１７条の２第６項で準用する同法第１２６条第７項の規定に違反するので、同法第１５９条第１項の規定において読み替えて準用する同法第５３条第１項の規定により却下すべきものである。  
　
　
第３　本願発明について  
　  
１　本願発明  
　  
　本件補正は上記のとおり却下されたので、本願の請求項１に係る発明（以下「本願発明」という。）は、上記「第２［理由］１本件補正」の本件補正前の「請求項１」として記載したとおりのものである。  
　  
２　引用例及びその記載事項  
　  
　原査定の拒絶の理由で引用された引用例及びその記載事項は、上記「第２［理由］２　引用例及びその記載事項」に記載したとおりである。  
　  
３　対比・判断  
　  
　本願発明は、本願補正発明から、上記「第２［理由］１　本件補正」で検討した本件補正に係る限定を削除するものである。
　そうすると、本願発明の特定事項を全て含み、更に他の特定事項を付加したものに相当する本願補正発明が前記「第２［理由］４　判断」に示したとおり、引用発明、引用例２に記載の発明、及び周知技術に基づいて、当業者が容易に発明をすることができたものであるから、本願発明も、同様の理由により、引用発明、引用例２に記載の発明、及び周知技術に基づいて当業者が容易に発明をすることができたものである。
 　  
４　むすび  
　  
　以上のとおり、本願発明は、特許法第２９条第２項の規定により特許を受けることができないものであるから、その余の請求項に論及するまでもなく、本願は拒絶すべきものである。  
　  
　よって、結論のとおり審決する。